(57)【要約】【課題】低段側圧縮機と高段側圧縮機とを備え、該高段側圧縮機による単段圧縮動作が可能に構成された冷凍装置において、低段側圧縮機の吐出側に位置する油分離器のための逆止弁を省略しても、上記単段圧縮動作時に油分離器内に多量の冷媒が溜まり込まないようにする。【解決手段】低段側油分離器（128,168）内に所定量以上の液冷媒が溜まった場合に、コントローラ（200）によって、低段側の圧縮機（101,141）を所定時間以上、作動させて、該油分離器（128,168）内に高温ガスを吐出する。これにより、該油分離器（128,168）内の液冷媒をガス化させて高段側へ戻す。また、別の手段として、上記低段側油分離器（128,168）から高段側に液冷媒を回収するための回収管（301,341）を設け、該回収管（301,341）の電磁弁（SV12,SV13）を開状態にする。【選択図】図１
2008014560.tif 000002
【特許請求の範囲】
【請求項１】
低段側圧縮機（101,102,103,141,142,143）と、高段側圧縮機（41）と、熱源側熱交換器（44）と、利用側熱交換器（83,93）とが接続された冷媒回路（20,220）を備え、上記高段側圧縮機（41）のみを運転する単段圧縮動作と、上記低段側圧縮機（101,102,103,141,142,143）及び高段側圧縮機（41）の両方を運転する二段圧縮動作とを切換可能に構成された冷凍装置であって、
上記低段側圧縮機（101,102,103,141,142,143）の吐出側には、上記二段圧縮動作時に該低段側圧縮機（101,102,103,141,142,143）の吐出冷媒から冷凍機油を分離するとともに、上記単段圧縮動作時には上記高段側圧縮機（41）に吸い込まれる冷媒の一部が液冷媒となって溜まり込む油分離器（128,168）が設けられ、
上記単段圧縮動作時に上記油分離器（128,168）内に溜まった液冷媒を上記高段側圧縮機（41）側へ戻すための液冷媒回収手段（200,300,340）を備えていることを特徴とする冷凍装置。
【請求項２】
請求項１において、
上記冷媒回路（20）には、上記単段圧縮動作時に冷媒が上記油分離器（128,168）をバイパスして流れるようにバイパス通路（127,167）が設けられていることを特徴とする冷凍装置。
【請求項３】
請求項１において、
上記冷媒回路（220）は、二段圧縮動作時には、上記低段側圧縮機（101,102,103,141,142,143）から吐出された冷媒が上記油分離器（128,168）を経て上記高段側圧縮機（41）に吸い込まれる一方、単段圧縮動作時には、上記利用側熱交換器（83,93）からの冷媒が上記低段側圧縮機（101,102,103,141,142,143）をバイパスし且つ上記油分離器（128,168）を経て上記高段側圧縮機（41）に吸い込まれるように構成されていることを特徴とする冷凍装置。
【請求項４】
請求項１〜３のいずれか一つにおいて、
上記液冷媒回収手段（300,340）は、上記油分離器（128,168）と高段側圧縮機（41）の吸い込み側とを繋ぐ回収通路（302,342）と、該回収通路（302,342）を開閉する開閉弁（SV12,SV13）と、を備えていることを特徴とする冷凍装置。
【請求項５】
請求項１〜３のいずれか一つにおいて、
上記液冷媒回収手段（200）は、上記低段側圧縮機（101,141）を所定タイミングで駆動するように構成されていることを特徴とする冷凍装置。
【発明の詳細な説明】
【技術分野】
【０００１】
本発明は、低段側圧縮機の吐出側に油分離器が設けられていて、且つ単段圧縮動作と二段圧縮動作とに切換可能に構成された冷凍装置に関する。
【背景技術】
【０００２】
従来より、冷凍サイクルを行う冷媒回路を備えた冷凍装置は知られており、食品等を貯蔵する冷蔵庫や冷凍庫等の冷却機として広く利用されている。
【０００３】
例えば、特許文献１には、コンビニエンスストア等の冷凍庫内の空気を冷却するための冷凍装置が開示されている。この冷凍装置の冷媒回路には、低段側圧縮機、高段側圧縮機、室外熱交換器（熱源側熱交換器）及び冷却熱交換器（利用側熱交換器）が接続されている。この冷凍装置では、上記冷却熱交換器を蒸発器とし、上記熱源側熱交換器を凝縮器とすると共に、上記低段側圧縮機及び高段側圧縮機を運転して冷媒を二段階に圧縮する、いわゆる二段圧縮冷凍サイクルが行われる。
【０００４】
一般的に、上述のような二段圧縮冷凍サイクルを行う冷媒回路では、上記低段側圧縮機及び高段側圧縮機のうち一方の圧縮機のみを使用する単段圧縮運転と、上述の二段圧縮運転とに切り換えることができるように構成されている。
【０００５】
また、例えば特許文献２には、上述のような二段圧縮冷凍サイクルを行う回路において、低段側圧縮機の吐出側に油分離器を設けて、冷媒中の油を分離する構成が開示されている。
【特許文献１】特開２００２−２２８２９７号公報
【特許文献２】特開２００４−３２５０２３号公報
【発明の開示】
【発明が解決しようとする課題】
【０００６】
ところで、上述のように低段側圧縮機の吐出側に油分離器を設けた構成において、上記高段側圧縮機のみを運転して単段圧縮冷凍サイクルを行う場合、冷媒を回路内で効率良く循環させるために、該油分離器内に多量の冷媒が溜まらないようにする必要がある。
【０００７】
そのため、通常、上記油分離器の冷媒の入口に逆止弁等を設けて、単段圧縮動作時に油分離器内に冷媒が入らないようにしている。ところが、一般的に、上記逆止弁はその構造的な理由から動作時に異音を発生するため、油分離器の入口に逆止弁を設けると、圧縮機及び油分離器を備えたユニットを複数台、並べて設置した場合には、上記逆止弁も複数個、並ぶことになり、逆止弁の動作に起因して発生する騒音が大きくなるという問題が生じる。
【０００８】
本発明は、かかる点に鑑みてなされたものであり、その目的とするところは、低段側圧縮機と高段側圧縮機とを備え、該高段側圧縮機による単段圧縮動作が可能に構成された冷凍装置において、低段側圧縮機の吐出側に位置する油分離器のための逆止弁を省略しても、上記単段圧縮動作時に油分離器内に多量の冷媒が溜まり込まないようにすることにある。
【課題を解決するための手段】
【０００９】
上記目的を達成するために、本発明に係る冷凍装置（10,210）では、高段側圧縮機（41）のみを運転する単段圧縮動作時に、油分離器（128,168）内に溜まる冷媒を該高段側圧縮機（41）へ戻す冷媒回収手段（200,300）を設け、該油分離器（128,168）内に多量の冷媒が溜まらないようにした。
【００１０】
具体的には、第１の発明は、低段側圧縮機（101,102,103,141,142,143）と、高段側圧縮機（41）と、熱源側熱交換器（44）と、利用側熱交換器（83,93）とが接続された冷媒回路（20,220）を備え、上記高段側圧縮機（41）のみを運転する単段圧縮動作と、上記低段側圧縮機（101,102,103,141,142,143）及び高段側圧縮機（41）の両方を運転する二段圧縮動作とを切換可能に構成された冷凍装置を対象とする。
【００１１】
そして、上記低段側圧縮機（101,102,103,141,142,143）の吐出側には、上記二段圧縮動作時に該低段側圧縮機（101,102,103,141,142,143）の吐出冷媒から冷凍機油を分離するとともに、上記単段圧縮動作時には上記高段側圧縮機（41）に吸い込まれる冷媒の一部が液冷媒となって溜まり込む油分離器（128,168）が設けられ、上記単段圧縮動作時に上記油分離器（128,168）内に溜まった液冷媒を上記高段側圧縮機（41）側へ戻すための液冷媒回収手段（200,300,340）を備えているものとする。
【００１２】
この構成により、高段側圧縮機（41）のみを運転する単段圧縮動作を行うと、冷媒は低段側圧縮機（101,102,103,141,142,143）の吐出側に設けられた油分離器（128,168）内に流れ込むことになるが、冷媒回収手段（200,300,340）によって油分離器（128,168）内に流入した冷媒を上記高段側圧縮機（41）に戻すことができ、該油分離器（128,168）内に多量の冷媒が溜まるのを防止することができる。
【００１３】
したがって、上記油分離器（128,168）内への冷媒の流入を防ぐための逆止弁を設けなくても、該油分離器（128,168）内に液冷媒が溜まり込むのを防止でき、逆止弁の動作等に起因して騒音が発生するのを確実に防止できる。
【００１４】
なお、低段側圧縮機が動作しているときには、その吐出側に位置する上記油分離器（128,168）内にガス冷媒が流入するため、該油分離器（128,168）内に液冷媒が溜まることはない。
【００１５】
上述の構成において、上記冷媒回路（20）には、上記単段圧縮動作時に冷媒が上記油分離器（128,168）をバイパスして流れるようにバイパス通路（127,167）が設けられているものとする（第２の発明）。このように、単段圧縮動作時に冷媒が上記油分離器（128,168）をバイパスして流れるように構成することで、該油分離器（128,168）内を冷媒は通過せず、該油分離器（128,168）内に液冷媒が溜まるのを極力防止できる。
【００１６】
また、上記冷媒回路（220）は、二段圧縮動作時には、上記低段側圧縮機（101,102,103,141,142,143）から吐出された冷媒が上記油分離器（128,168）を経て上記高段側圧縮機（41）に吸い込まれる一方、単段圧縮動作時には、上記利用側熱交換器（83,93）からの冷媒が上記低段側圧縮機（101,102,103,141,142,143）をバイパスし且つ上記油分離器（128,168）を経て上記高段側圧縮機（41）に吸い込まれるように構成されていてもよい（第３の発明）。
【００１７】
このように、冷媒が上記油分離器（128,168）内を通過するような構成であっても、上述の第１の発明のような液冷媒回収手段を設けることで、該油分離器（128,168）内に溜まった液冷媒を確実に回収することができる。
【００１８】
また、上記液冷媒回収手段（300,340）は、上記油分離器（128,168）と高段側圧縮機（41）の吸い込み側とを繋ぐ回収通路（302,342）と、該回収通路（302,342）を開閉する開閉弁（SV12,SV13）と、を備えているのが好ましい（第４の発明）。
【００１９】
これにより、上記油分離器（128,168）内に溜まった液冷媒は、上記開閉弁（SV12,SV13）を開状態にすることで上記回収通路（302,342）を介して該油分離器（128,168）から排出される。しかも、上述のような構成にすることで、液冷媒を回収するための専用の部材等を設けることなく、上記油分離器（1268,168）から液冷媒を排出することができる。
【００２０】
また、上記液冷媒回収手段（200）は、上記低段側圧縮機（101,141）を所定タイミングで駆動するように構成されていてもよい（第５の発明）。ここで、上記所定タイミングとは、上記油分離器（128,168）内に所定量以上の液冷媒が溜められた状態になり、該油分離器（128,168）から液冷媒を排出する必要のある状態を意味する。
【００２１】
このように、上記油分離器（128,168）内に所定量以上の液冷媒が溜められた状態になった場合に、上記低段側圧縮機（128,168）を起動することで、該低段側圧縮機（101,102,103,141,142,143）から油分離器内（128,168）に吐出される高温ガスによって、該油分離器（128,168）内の液冷媒をガス化して該油分離器（128,168）から排出することができる。
【発明の効果】
【００２２】
第１の発明に係る冷凍装置によれば、高段側圧縮機（41）のみが運転する単段圧縮動作時に、低段側圧縮機（101,102,103,141,142,143）の吐出側に設けられた油分離器（128,168）内に溜まる液冷媒を上記高段側圧縮機（41）へ戻す液冷媒回収手段（200,300,340）を備えているため、該油分離器（128,168）に多量の冷媒が溜まるのを確実に防止することができる。したがって、上記油分離器（128,168）への液冷媒の溜まり込みを防止するための逆止弁を省略することができ、これにより、該逆止弁の動作に起因する騒音の発生を防止できる。
【００２３】
第２の発明によれば、冷媒回路（20）には、単段圧縮動作時に冷媒が油分離器（128,168）をバイパスして流れるようなバイパス通路（127,167）が設けられているため、該油分離器（128,168）への液冷媒の溜まり込みを極力抑えることができ、冷媒回路（20）内で冷媒を効率良く循環させることができる。
【００２４】
また、第３の発明によれば、冷媒回路（220）が、単段圧縮動作時及び二段圧縮動作時には、必ず上記油分離器（128,168）を通過するような構成であっても、上述のような液冷媒回収手段（200,300,340）を設けることで、該油分離器（128,168）内の液冷媒の溜まり込みを確実に防止できる。
【００２５】
また、第４の発明によれば、上記液冷媒回収手段（300,340）は、油分離器（128,168）と高段側圧縮機（41）の吸い込み側とを繋ぐ回収通路（302,342）と、該回収通路（302,342）を開閉する開閉弁（SV12,SV13）とからなるため、この開閉弁（SV12,SV13）を開状態にすることで回収通路（302,342）から上記油分離器（128,168）内に溜まった液冷媒を確実に回収することができる。したがって、上記油分離器（128,168）内に多量の液冷媒が溜まるのをより確実に防止できる。
【００２６】
さらに、第５の発明によれば、上記液冷媒回収手段（200）は、所定タイミングで低段側圧縮機（101,141）を起動させるように構成されているため、該低段側圧縮機（101,141）によって上記油分離器（128,168）内に吐出される高温ガスにより液冷媒をガス化して、該油分離器（128,168）外へ排出することができる。したがって、上記油分離器（128,168）から冷媒を回収するための専用の部材を設けることなく、簡単且つ低コストな方法で該油分離器（128,168）から液冷媒を回収できる。
【発明を実施するための最良の形態】
【００２７】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００２８】
《実施形態１》
実施形態１の冷凍装置（10）は、コンビニエンスストア等に設置されて、複数の冷凍庫内の冷却を行うものである。
【００２９】
図１に示すように、実施形態１の冷凍装置（10）は、室外ユニット（11）、第１冷凍ショーケース（12）、第２冷凍ショーケース（13）、第１ブースタユニット（14）、第２ブースタユニット（15）、及び各種弁や圧縮機などの制御を行うためのコントローラ（200）を備えている。室外ユニット（11）は、屋外に設置されている。一方、残りのユニット（12,13,14,15）は、何れもコンビニエンスストア等の店内に設置されている。
【００３０】
室外ユニット（11）には室外回路（40）が、第１冷凍ショーケース（12）には第１冷凍回路（80）が、第２冷凍ショーケース（13）には第２冷凍回路（90）が、第１ブースタユニット（14）には第１ブースタ回路（100）が、第２ブースタユニット（15）には第２ブースタ回路（140）がそれぞれ設けられている。この冷凍装置（10）では、これらの回路（40,80,90,100,140）を配管で接続することによって、蒸気圧縮式の冷凍サイクルを行う冷媒回路（20）が構成されている。
【００３１】
上記第１冷凍回路（80）及び第２冷凍回路（90）は上記室外回路（40）に対して互いに並列に接続されている。また、上記第１ブースタ回路（100）及び第２ブースタ回路（140）も、冷媒の出入り口部分で合流している上記第１冷凍回路（80）及び第２冷凍回路（90）のガス側に、ブースタ回路（100,140）同士が互いに並列になるように接続されている。
【００３２】
具体的には、上記室外回路（40）の端部には第１閉鎖弁（21）及び第２閉鎖弁（22）が、第１ブースタ回路（100）の端部には第３閉鎖弁（23）が、第２ブースタ回路（140）の端部には第４閉鎖弁（24）がそれぞれ設けられている。
【００３３】
上記第１閉鎖弁（21）には、液連絡配管（36）の一端が接続されている。この液連絡配管（36）の他端は２つに分岐しており、分岐した一方が第１冷凍回路（80）の端部に、他方が第２冷凍回路（90）の端部にそれぞれ接続されている。また、上記液連絡配管（36）には、上記第１ブースタ回路（100）及び第２ブースタ回路（140）の液インジェクション主管（119,159）の一端が接続されている。
【００３４】
上記第２閉鎖弁（22）には、ガス連絡配管（37）の一端が接続されている。このガス連絡配管（37）の他端は２つに分岐しており、分岐した一方が上記第３閉鎖弁（23）に、他方が第４閉鎖弁（24）にそれぞれ接続されている。
【００３５】
（室外ユニット）
室外ユニット（11）の室外回路（40）には、第１可変容量圧縮機（41）、室外熱交換器（44）、レシーバ（45）、過冷却熱交換器（46）、第１室外膨張弁（47）、第２室外膨張弁（48）、及び四路切換弁（49）が設けられている。
【００３６】
上記第１可変容量圧縮機（41）は、全密閉型で且つ高圧ドーム型のスクロール圧縮機であり、冷媒回路（20）の高段側の圧縮機（高段側圧縮機）を構成している。この第１可変容量圧縮機（41）には、インバータを介して電力が供給される。すなわち、上記第１可変容量圧縮機（41）は、インバータの出力周波数を変化させて圧縮機モータの回転速度を変更することによって、その容量が変更可能となっている。
【００３７】
第１可変容量圧縮機（41）の吸入側には高段側吸入管（64）が接続されている。この高段側吸入管（64）は他端が四路切換弁（49）に接続されている。一方、上記第１可変容量圧縮機（41）の吐出側には高段側吐出管（65）が接続されている。この高段側吐出管（65）の他端は上記四路切換弁（49）に接続されている。上記高段側吐出管（65）には、上記圧縮機（41）から四路切換弁（49）へ向かう冷媒の流通だけを許容する逆止弁（CV1）が設けられている。
【００３８】
上記室外熱交換器（44）は、クロスフィン式のフィン・アンド・チューブ型熱交換器であって、熱源側熱交換器を構成している。室外熱交換器（44）の近傍には、室外ファン（50）が設けられている。この室外熱交換器（44）では、上記室外ファン（50）が送風する室外空気と冷媒との間で熱交換が行われる。室外熱交換器（44）の一端は四路切換弁（49）に接続されている一方、他端は第１液管（71）を介してレシーバ（45）の頂部に接続されている。この第１液管（71）には、第５閉鎖弁（25）と、室外熱交換器（44）からレシーバー（45）へ向かう冷媒の流通だけを許容する逆止弁（CV2）と、が設けられている。
【００３９】
上記過冷却熱交換器（46）は、高圧側流路（46a）と低圧側流路（46b）とを備えており、各流路（46a,46b）を流れる冷媒同士を熱交換させるためのものである。この過冷却熱交換器（46）は、例えばプレート熱交換器により構成されている。
【００４０】
上記高圧側流路（46a）の流入端は、第２液管（72）を介して上記レシーバ（45）の底部に接続されている。なお、この第２液管（72）には、第６閉鎖弁（26）が設けられている。また、上記高圧側流路（46a）の流出端は、第３液管（73）を介して上記第１閉鎖弁（21）に接続されている。この第３液管（73）には、上記高圧側流路（46a）の流出端から上記第１閉鎖弁（21）へ向かう冷媒の流通だけを許容する逆止弁（CV3）が設けられており、該逆止弁（CV3）よりも高圧側流路（46a）の流出端側に、第７閉鎖弁（27）が設けられた連絡配管（66）の一端が接続されている。
【００４１】
一方、上記低圧側流路（46b）の流入端は、第４液管（74）を介して、第７閉鎖弁（27）を挟んで上記連絡配管（66）の第３液管（73）との接続部とは反対側に接続されている。また、上記低圧側流路（46b）の流出端は、上記高段側吸入管（64）に接続されている。
【００４２】
上記第３液管（73）において、上記逆止弁（CV3）と第１閉鎖弁（21）との間には、第５液管（75）の一端が接続されている。この第５液管（75）の他端は、上記第１液管（71）における逆止弁（CV2）と第５閉鎖弁（25）との間に接続されている。また、上記第５液管（75）には、上記一端側から他端側へ向かう冷媒の流通だけを許容する逆止弁（CV4）が設けられている。
【００４３】
上記第４液管（74）には、上記第１室外膨張弁（47）が設けられている。この第１室外膨張弁（47）は、開度が調節可能な電子膨張弁で構成されている。また、第４液管（74）には、上記第１室外膨張弁（47）と上記連絡配管（66）の接続部との間に第６液管（76）の一端が接続されている。この第６液管（76）の他端は、上記第１液管（71）における上記逆止弁（CV2）と室外熱交換器（44）との間に接続されている。また、上記第６液管（76）には、上記第２室外膨張弁（48）が設けられている。この第２室外膨張弁（48）は、開度が調節可能な電子膨張弁であって、熱源側膨張弁を構成している。
【００４４】
また、上記第１液管（71）における逆止弁（CV2）と上記第５液管（75）の接続部との間には、連通管（67）の一端が接続され、該連通管（67）の他端は上記高段側吐出管（65）の四路切換弁（49）と逆止弁（CV1）との間に接続されている。この連通管（67）には、上記レシーバー（45）から高段側吐出管（65）へ向かう冷媒の流通だけを許容する逆止弁（CV5）が設けられている。
【００４５】
上記連絡配管（66）は、上述のとおり、一端が上記第３液管（73）に接続されている一方、他端は上記第１可変容量圧縮機（41）の高段側吸入管（64）に接続されている。そして、この連絡配管（66）には、上記第７閉鎖弁（27）や上記第４液管（74）との接続部よりも高段側吸入管（64）側の位置に、第３室外膨張弁（51）が設けられており、さらにその高段側吸入管（64）側にキャピラリーチューブ（52）が設けられている。この構成により、上記第３液管（73）を流れる液冷媒が、上記連絡配管（66）を介して上記高段側吸入管（64）に供給され、これにより、上記第１可変容量圧縮機（41）の吐出ガス温度を低下させることができる。
【００４６】
上記四路切換弁（49）は、第１のポートが高段側吐出管（65）に、第２のポートが高段側吸入管（64）に、第３のポートが室外熱交換器（44）に、第４のポートが第２閉鎖弁（22）にそれぞれ接続されている。この四路切換弁（49）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能に構成されている。
【００４７】
また、上記室外回路（40）には、圧縮機（41）の吐出冷媒から冷凍機油を分離するための高段側油分離器（53）が設けられている。この高段側油分離器（53）は、図２に示すように、いわゆるデミスタ式の油分離器であり、密閉状の回収容器（55）と、デミスタ（56）とを備えている。この油回収容器は、円筒状の部材の両端を塞いで中空にしたもので、その上部側の空間がガス溜め部（57）を構成し、下部側の空間が液溜め部（58）を構成している。上記デミスタ（56）は、上記ガス溜め部（57）内に設けられていて、ガス冷媒中の油を捕捉することで、ガス冷媒から冷凍機油を分離することができる。
【００４８】
上記高段側油分離器（53）は、上記高段側吐出管（65）において、逆止弁（CV1）と上記連通管（67）の接続部との間に設けられている。この高段側油分離器（53）は、油戻し管（54）を介して、高段側吸入管（64）における連絡配管（66）の接続部と上記過冷却熱交換器（46）の低圧側流路（46b）流出端の接続部との間に接続されている。この油戻し管（54）には、電磁弁（SV1）が設けられていて、この電磁弁（SV1）を開くと、上記高段側油分離器（53）で分離された冷凍機油が上記高段側吸入管（64）に戻されるように構成されている。
【００４９】
また、上記室外回路（40）には、各種センサや圧力スイッチも設けられている。具体的には、上記高段側吐出管（65）には、第１高圧圧力スイッチ（30a）、第１吐出温度センサ（31a）及び第１吐出圧力センサ（32a）が設けられている。上記室外熱交換器（44）の室外ファン（50）の近傍には、外気温度センサ（33）が設けられている。上記高段側吸気管（64）には、吸入温度センサ（34）が設けられている。また、上記四路切換弁（49）と第２閉鎖弁（22）との間には、圧力スイッチ（42）が設けられている。さらに、上記第３液管（73）における過冷却熱交換器（46）の高圧側流路（46a）排出側には、温度センサ（35）が設けられている。
【００５０】
（冷凍ショーケース）
上記第１冷凍ショーケース（12）の第１冷凍回路（80）では、その液側端からガス側端へ向かって順に、第１ドレンパン加熱用配管（81）、第１室内膨張弁（82）、及び第１冷却熱交換器（83）が設けられている。
【００５１】
上記第１室内膨張弁（82）は、開度が調節可能な電子膨張弁であって、利用側膨張弁を構成している。また、上記第１冷却熱交換器（83）は、クロスフィン式のフィン・アンド・チューブ型熱交換器であって、利用側熱交換器を構成している。この第１冷却熱交換器（83）の近傍には、第１庫内ファン（84）が設けられている。第１冷却熱交換器（83）では、第１庫内ファン（84）が送風する庫内空気と冷媒との間で熱交換が行われる。
【００５２】
上記第１ドレンパン加熱用配管（81）は、第１冷却熱交換器（83）の図示しないドレンパンに配置され、その内部を高温の冷媒が流れると、ドレンパンを加温し、該ドレンパンに第１冷却熱交換器（83）の表面から落下する霜や結露水、該ドレンパン内の液滴が凍結して生成される氷塊などを、融解するように構成されている。
【００５３】
また、上記第１冷凍回路（80）には、３つの温度センサが設けられている。具体的には、第１冷却熱交換器（83）の伝熱管、第１冷凍回路（80）におけるガス側端近傍、及び第１庫内ファン（84）の近傍に、温度センサ（85,86,87）がそれぞれ設けられている。
【００５４】
上記第２冷凍ショーケース（13）の第２冷凍回路（90）は、上記第１冷凍回路（80）と同様に構成されている。即ち、第２冷凍回路（90）には、上記第１冷凍回路（80）と同様、第２ドレンパン加熱用配管（91）、第２室内膨張弁（92）、第２冷却熱交換器（93）、及び第２庫内ファン（94）が設けられている。また、第２冷凍回路（90）には、上記第１冷凍回路（80）と同様、第２冷媒温度センサ（95）、第２ガス温度センサ（96）、及び第２庫内温度センサ（97）が設けられている。
【００５５】
（ブースタユニット）
上記第１ブースタユニット（14）の第１ブースタ回路（100）は、第１ブースタ連絡管（38）を介して上記第１冷凍回路（80）のガス側端と接続されている。この第１ブースタ回路（100）には、第２可変容量圧縮機（101）、第１固定容量圧縮機（102）及び第２固定容量圧縮機（103）が互いに並列に設けられている。
【００５６】
上記第２可変容量圧縮機（101）、第１及び第２固定容量圧縮機（102,103）は、何れも全密閉型で高圧ドーム型のスクロール圧縮機であり、冷媒回路（20）の低段側圧縮機を構成している。第２可変容量圧縮機（101）には、インバータを介して電力が供給される。この第２可変容量圧縮機（101）は、インバータの出力周波数を変化させて圧縮機モータの回転速度を変更することによって、その容量が変更可能となっている。一方、上記第２及び第３固定容量圧縮機（102,103）は、圧縮機モータが常に一定の回転速度で運転されるものであって、その容量が変更不能となっている。なお、冷凍装置（10）の運転時には、上記３台の圧縮機（101,102,103）のうち、第２可変容量圧縮機（101）が優先的に運転され、該冷凍装置（10）の利用側の状況に応じて、上記第１固定容量圧縮機（102）、第２固定容量圧縮機（103）の順に運転するように構成されている。
【００５７】
上記圧縮機（101,102,103）の吸入側は、各吸入管（111,112,113）の接続される第１低段側吸入管（110）を介して上記第１ブースタ連結管（38）に接続されている。具体的には、上記第２可変容量圧縮機（101）の吸入側に一端が接続される第１吸入管（111）の他端、及び上記第２固定容量圧縮機（103）の吸入側に一端が接続される第３吸入管（113）の他端が、それぞれ上記第１低段側吸入管（110）に接続されていて、該第１低段側吸入管（110）はその一端で第１ブースタ連結管（38）に接続されている。また、上記第１吸入管（111）には、上記第１可変容量圧縮機（102）の吸入側に一端が接続される第２吸入管（112）の他端が接続されている。
【００５８】
上記圧縮機（101,102,103）の吐出側は、各吐出管（114,115,116）、第１低段側吐出管（117）及び第１吐出連絡管（130）を介して上記第３閉鎖弁（23）と接続されている。具体的には、上記第２可変容量圧縮機（101）の吐出側には第１吐出管（114）の一端が、第１固定容量圧縮機（102）の吐出側には第２吐出管（115）の一端が、第２固定容量圧縮機（103）の吐出側には第３吐出管（116）の一端が、それぞれ接続されていて、これらの吐出管（114,115,116）の他端は、上記第１低段側吐出管（117）に接続されている。そして、上記各吐出管（114,115,116）には、上記各圧縮機（101,102,103）から上記第３閉鎖弁（23）へ向かう冷媒の流通だけを許容する逆止弁（CV6,CV7,CV8）が、それぞれ設けられている。
【００５９】
上記第１ブースタ回路（100）には、２つの均油管（118a,118b）、液インジェクション管（119,119a,119b,119c）及び２つの油回収管（124a,124b）が設けられている。
【００６０】
上記２つの均油管（118a,118b）は、第１均油管（118a）と第２均油管（118b）とからなり、各圧縮機（101,102,103）の均油手段を構成している。該第１均油管（118a）は、その一端が上記第１固定容量圧縮機（102）のドームの所定の高さ位置に接続されている一方、他端が上記第１吸入管（111）における第２吸入管（112）との接続部よりも圧縮機（101）側に接続されていて、管路上には電磁弁（SV3）が設けられている。
【００６１】
上記第２均油管（118b）は、その一端が上記第２固定容量圧縮機（103）のドームの所定の高さ位置に接続されている一方、他端が上記第１吸入管（111）における第２吸入管（112）の接続部よりも第１低段側吸入管（110）の接続部側に接続されていて、電磁弁（SV4）が設けられている。
【００６２】
上記液インジェクション管（119,119a,119b,119c）は、液インジェクション主管（119）と第１〜第３の３つの液インジェクション分岐管（119a,119b,119c）とから構成されている。上記液インジェクション主管（119）は、一端が上記液連絡配管（36）に接続されていて、他端が上記各液インジェクション分岐管（119a,119b,119c）の一端とそれぞれ接続されている。また、上記液インジェクション主管（119）には、第１膨張弁（120）が設けられている。この第１膨張弁（120）は、開度調整自在な電子膨張弁で構成されている。さらに、上記液インジェクション主管（119）において、上記第１膨張弁（120）よりも上記液連絡配管（36）の接続部側には、第２膨張弁（121）の設けられた連通管（122）の一端が接続されている。なお、この連通管（122）の他端は、上記第１吐出連絡管（130）に接続されている。
【００６３】
上記第１〜第３の各液インジェクション分岐管（119a,119b,119c）には、それぞれ、キャピラリーチューブ（123a,123b,123c）が設けられていて、該各液インジェクション分岐管（119a,119b,119c）の他端は上記各圧縮機（101,102,103）の吸入管（111,112,113）に接続されている。これにより、上記液連絡配管（36）を流れる液冷媒が、上記液インジェクション主管（119）を介して各液インジェクション分岐管（119a,119b,119c）内を流れ、各圧縮機（101,102,103）の吸入管（111,112,113）に供給される。
【００６４】
上記２つの油回収管（124a,124b）は、第１油回収管（124a）と第２油回収管（124b）とから構成されている。該第１油回収管（124a）の一端は、上記第１可変容量圧縮機（101）の第１吸入管（111）における第１均油管（118a）の接続部と上記第２吸入管（112）の接続部との間に接続されている。一方、上記第１油回収管（124a）の他端は、上記第２固定容量圧縮機（103）の第３吸入管（113）に接続されている。
【００６５】
また、上記第２油回収管（124b）の一端は、上記第１固定容量圧縮機（102）の第２吸入管（112）における第２液インジェクション分岐管（119b）の接続部と該第１固定容量圧縮機（102）の吸入側との間に接続されている。一方、上記第２油回収管（124b）の他端は、上記第１油回収管（124a）に接続されている。
【００６６】
上記第１ブースタ回路（100）には、第１油排出管（125）、第１バイパス管（126）、バイパス通路としての第２バイパス管（127）及び第１低段側油分離器（128）が設けられている。
【００６７】
上記第１油排出管（125）は、一端が上記第２可変容量圧縮機（101）の油排出口（図示省略）に接続され、他端が上記第１吐出連絡管（130）に接続されている。この第１油排出管（117）には、電磁弁（SV2）が設けられている。この電磁弁（SV2）は、上記第２可変容量圧縮機（101）内の冷凍機油が過剰となる場合に開状態となる。その結果、冷凍機油は上記第１油排出管（125）を介して室外回路（40）側へ流れ込み、高段側の上記第１可変容量圧縮機（41）に吸入される。なお、上記第１油排出管（125）において上記電磁弁（SV2）よりも第１吐出連絡管（130）の接続部側には、上記第２可変容量圧縮機（101）から第１吐出連絡管（130）へ向かう冷媒の流通だけを許容する逆止弁（CV9）が設けられている。
【００６８】
上記第１低段側油分離器（128）は、第１低段側吐出管（117）の他端に設けられていて、各圧縮機（101,102,103）の吐出冷媒から冷凍機油を分離するように構成されている。この第１低段側油分離器（128）も、図２に示すような構成を有しており、上記室外回路（40）に設けられている高段側油分離器（53）と同じ構成なので、構造についての詳しい説明は省略する。
【００６９】
上記第１低段側油分離器（128）には、図２に示すように、第１油戻し管（129）と、上記第１低段側吐出管（117）と、上記第１吐出連絡管（130）と、が接続されている。
【００７０】
上記第１油戻し管（129）は、その一端が上記第１低段側油分離器（128）の油回収容器（55）の底部に接続されて、液溜め部（58）に開口している一方、他端は上記第１低段側吸入管（110）に接続されている。また、この第１油戻し管（129）には、開閉自在な電磁弁（SV5）が設けられていて、該電磁弁（SV5）を開くと、上記第１低段側油分離器（128）で分離された冷凍機油が、上記第１低段側吸入管（110）内へ戻るように構成されている。
【００７１】
上記第１低段側吐出管（117）は、第１低段側油分離器（128）の油回収容器（55）の周壁に接続されていて、ガス溜め部（57）に開口している。上記第１吐出連絡管（130）は、第１低段側油分離器（128）の油回収容器（55）の頂部に接続されていて、ガス溜め部（57）に開口している。
【００７２】
上記第１バイパス管（126）は、一端が上記第１低段側吸入管（110）に接続され、他端が上記第１低段側油分離器（128）の第１油戻し管（129）に接続されている。この第１バイパス管（126）は、後述するデフロスト運転時や、液冷媒回収動作時に、上記各圧縮機（101,102,103）をバイパスして冷媒を流すためのものである。上記第１バイパス管（126）には、電磁弁（SV6）が設けられている。
【００７３】
上記第２バイパス管（127）は、一端が上記第１低段側吸入管（110）に接続され、他端が上記第１吐出連絡管（130）に接続されている。すなわち、この第２バイパス管（127）は、上記低段側の圧縮機（101,102,103）及び第１低段側油分離器（128）をバイパスするように設けられている。また、この第２バイパス管（127）には、上記第１低段側吸入管（110）から第１吐出連絡管（130）へ向かう冷媒の流通だけを許容する逆止弁（CV10）が設けられている。これにより、後述するように、高段側の圧縮機（41）のみが駆動する単段圧縮動作時には、上記第２バイパス管（127）を介して、すなわち上記第１低段側油分離器（128）をバイパスして、冷媒を該高段側の圧縮機（41）に流すことができる。
【００７４】
また、上記第１ブースタ回路（100）には、各種のセンサや圧力スイッチも設けられている。具体的には、上記第１低段側吸入管（110）には第１吸入圧力センサ（131）が設けられている。上記第１吐出管（114）には、第２高圧圧力スイッチ（30b）及び第２吐出温度センサ（31b）が設けられている。上記第２吐出管（115）には、第３高圧圧力スイッチ（30c）及び第３吐出温度センサ（31c）が設けられている。上記第３吐出管（116）には、第４高圧圧力スイッチ（30d）及び第４吐出温度センサ（31d）が設けられている。上記第１低段側吐出管（117）には、第２吐出圧力センサ（32b）が設けられている。上記第１吐出連絡管（130）の第３閉鎖弁（23）近傍には、温度センサ（132）が設けられている。
【００７５】
上記第２ブースタユニット（15）の第２ブースタ回路（140）は、第２ブースタ連絡管（39）を介して上記第２冷凍回路（90）のガス側端と接続されている。この第２ブースタ回路（140）は、上記第１ブースタ回路（100）と同様の構成となっている。即ち、第２ブースタ回路（140）には、上記第１ブースタ回路（100）と同様に、第３可変容量圧縮機（141）、第３固定容量圧縮機（142）及び第４固定容量圧縮機（143）が設けられている。
【００７６】
また、上記第２ブースタ回路（140）には、上記第１ブースタ回路（100）と同様、上記第２ブースタ連結管（39）に接続される第２低段側吸入管（150）や、上記圧縮機（141,142,143）の吸入側及び吐出側にそれぞれ連結される第４吸入管（151）、第５吸入管（152）、第６吸入管（153）、第４吐出管（154）、第５吐出管（155）及び第６吐出管（156）、さらに、これらの吐出管（154,155,156）に対して、互いに合流させるように接続される第２低段側吐出管（157）が設けられている。
【００７７】
また、上記第２ブースタ回路（140）には、上記第１ブースタ回路（100）と同様、圧縮機（141,142,143）の均油手段として第３均油管（158a）及び第４均油管（158b）が設けられていて、液インジェクション配管（159,159a,159b,159c）や連通管（162）、第３膨張弁（160）及び第４膨張弁（161）、キャピラリーチューブ（163a,163b,163c）が設けられている。
【００７８】
また、上記第２ブースタ回路（140）には、上記第１ブースタ回路（100）と同様、上記吸入管（151,152,153）に跨るように第３油回収管（164a）及び第４油回収管（164b）が、上記第３可変容量圧縮機（141）内の冷凍機油の油量を調整できるように第２排油管（165）が、上記第２低段側吐出管（157）と第２吐出連絡管（170）と第２油戻し管（169）とに接続されるように第２低段側油分離器（168）が、該第２油戻し管（169）に接続されるように第３バイパス管（166）が、上記第２低段側油分離器（168）及び圧縮機（141,142,143）をバイパスするように第４バイパス管（167）が、それぞれ設けられている。
【００７９】
さらに、上記第２ブースタ回路（140）には、上記第１ブースタ回路（100）と同様、上記第４〜第６吐出管（154,155,156）、第２排油管（165）及び第４バイパス管（167）に、それぞれ逆止弁（CV11,CV12,CV13,CV14,CV15）が設けられている。また、上記第２排油管（165）、第３及び第４均油管（158a,158b）、第２油戻し管（169）及び第３バイパス管（166）には、それぞれ電磁弁（SV7,SV8,SV9,SV10,SV11）が設けられている。
【００８０】
また、上記第２ブースタ回路（140）には、第１ブースタ回路（100）と同様に、各種のセンサや圧力スイッチも設けられている。具体的には、上記第２低段側吸入管（150）には第２吸入圧力センサ（171）が、上記第４〜第６吐出管（154,155,156）にはそれぞれ第５〜第７高圧圧力スイッチ（30e,30f,30g）及び第５〜第７吐出温度センサ（31e,31f,31g）が、上記第２低段側吐出管（157）には、第３吐出圧力センサ（32c）が設けられている。上記第２吐出連絡管（170）の第４閉鎖弁（24）近傍には、温度センサ（172）が設けられている。
【００８１】
−運転動作−
以下に、実施形態１の冷凍装置（10）の運転動作について説明する。
【００８２】
<冷却運転>
（二段圧縮動作）
この冷凍装置（10）の冷却運転では、第１冷凍ショーケース（12）及び第２冷凍ショーケース（13）の庫内の冷却が行われる。
【００８３】
図３に示すように、冷却運転時の室外回路（40）では、四路切換弁（49）が第１状態に設定される。また、第２室外膨張弁（48）が全閉状態となる一方、第１室外膨張弁（47）の開度が適宜調節される。さらに、電磁弁（SV1）が閉の状態に設定される。
【００８４】
第１冷凍回路（80）では、第１室内膨張弁（82）の開度が適宜調節される。また。第２冷凍回路（90）でも、第２室内膨張弁（92）の開度が適宜調節される。第１ブースタ回路（100）では、電磁弁（SV2）が閉の状態に設定される。第２ブースタ回路（140）では、電磁弁（SV7）が閉の状態に設定される。
【００８５】
冷却運転では、室外回路（40）の圧縮機（41）、第１ブースタ回路（100）の各圧縮機（101,102,103）、及び第２ブースタ回路（140）の各圧縮機（141,142,143）がそれぞれ運転される。その結果、冷媒回路（20）では、室外熱交換器（44）が凝縮器となり、各冷却熱交換器（83,93）が蒸発器となって、２段圧縮冷凍サイクルが行われる。
【００８６】
上記室外回路（40）において第１可変容量圧縮機（41）から吐出された冷媒は、高段側吐出管（65）から四路切換弁（49）を通過して室外熱交換器（44）を流れる。室外熱交換器（44）では、冷媒に室外空気の熱が付与され、この冷媒が凝縮する。
【００８７】
上記室外熱交換器（44）で凝縮された冷媒は、第１液管（71）、レシーバ（45）、第２液管（72）及び過冷却熱交換器（46）の高圧側流路（46a）を通過し、第３液管（73）へ流入する。該第３液管（73）を流れる冷媒は、一部が連絡配管（66）へ分配され、残りが液連絡配管（36）へ流入する。
【００８８】
上記連絡配管（66）を流れる冷媒は、さらに分岐して第４液管（74）へ流れ、第１室外膨張弁（47）を通過して減圧されてから、過冷却熱交換器（46）の低圧側流路（46b）を流通する。この過冷却熱交換器（46）では、上記高圧側流路（46a）を流れる高圧冷媒と、低圧側流路（46b）を流れる低圧冷媒とが熱交換する。その結果、高圧側流路（46a）を流れる冷媒の熱が、低圧側流路（46b）を流れる冷媒の蒸発熱として奪われる。つまり、過冷却熱交換器（46）では、高圧側流路（46a）を流れる冷媒が過冷却される。過冷却熱交換器（46）の低圧側流路（46b）で蒸発した冷媒は、高段側吸入管（64）へ流入する。
【００８９】
一方、上記連絡配管（66）をそのまま流れた冷媒は、第３室外膨張弁（51）を通過して減圧された後、キャピラリーチューブ（52）を通過し、圧縮機（41）の高段側吸入管（64）に供給される。
【００９０】
上記液連絡配管（36）へ流入した冷媒は、第１冷凍回路（80）及び第２冷凍回路（90）へそれぞれ分配されるとともに、第１及び第２ブースタユニット（14,15）の液インジェクション主管（119,159）にも分配される。なお、この液インジェクション主管（119,159）に分配された冷媒は、それぞれ、膨張弁（120,160）を通過して減圧された後、キャピラリーチューブ（123a,123b,123c,163a,163b,163c）を通過し、圧縮機（101,102,103,141,142,143）の吸入管（111,112,113,151,152,153）に供給される。
【００９１】
上記第１及び第２冷凍回路（80,90）では、液冷媒がドレンパン加熱用配管（81,91）を流れ、ドレンパンの着霜を防止すると共に、冷却熱交換器（83,93）からドレンパンに落下した霜を確実に融解する。上記ドレンパン加熱用配管（81,91）から流出した液冷媒は、室内膨張弁（82,92）を通過する際に減圧されて膨張し、冷却熱交換器（83,93）へ導入される。該冷却熱交換器（83,93）では、冷媒が冷却室内の空気から吸熱して蒸発する。これにより、冷凍ショーケース（12,13）においては、冷却熱交換器（83,93）で冷却された空気が冷却室内へ供給される。
【００９２】
上記冷却熱交換器（83,93）で蒸発したガス冷媒は、合流した後、ブースタ連結管（38,39）を介して第１及び第２ブースタユニット（14,15）へそれぞれ流れる。これらのブースタユニット（14,15）は、上述のとおり、並列に設けられているため、以下の説明では、第１ブースタユニット（14）内での冷媒の流れについてのみ説明する。
【００９３】
上記第１ブースタ連結管（38）を流れるガス冷媒は、第１低段側吸入管（110）、第１〜第３吸入管（111,112,113）を介して低段側の圧縮機（101,102,103）へ流入する。この際、第１及び第２均油管（118a,118b）の閉鎖弁（SV3,SV4）はコントローラ（200）によって適宜、開閉制御されるとともに、上記吸入管（111,112,113）に対してはインジェクション分岐管（119a,119b,119c）を介して液冷媒が供給される。
【００９４】
上記低段側の各圧縮機（101,102,103）で圧縮されて吐出された冷媒は、第１〜第３吐出管（114,115,116）を介して第１低段側吐出管（117）に流れ込み、第１低段側油分離器（128）内でガス冷媒と冷凍機油とに分離される。そして、ガス冷媒は、第１吐出連絡管（130）内を流れて、第２ブースタユニット（15）から吐出されるガス冷媒と合流し、ガス連絡配管（37）によって、室外ユニット（11）内へ戻る。その後は、四路切換弁（49）、高段側吸入管（64）を介して第１可変容量圧縮機（41）内へ吸い込まれる。
【００９５】
ここで、上記第１低段側油分離器（128）内で分離された冷凍機油は、回収容器（55）内の液溜め部（58）に溜められた後、所定のタイミングで第１油戻し管（129）上の電磁弁（SV5）を開状態にすることで、該第１油戻し管（129）内を流れて第１低段側吸入管（110）に戻される。これにより、該第１低段側吸入管（110）内の冷媒と冷凍機油とが混合した状態で流れ、該冷凍機油は低段側の各圧縮機（101,102,103）内に戻される。なお、各圧縮機（101,102,103）内の冷凍機油量の調整は、均油手段としての均油管（118a,118b）や、第１排油管（125）、該第１排油管（125）に設けられた電磁弁（SV2）によって行われる。
【００９６】
（単段圧縮動作）
図４に示す単段圧縮動作では、高段側の圧縮機（41）が運転状態である一方、低段側の圧縮機（101,102,103）は停止状態となる。また、この単段圧縮動作では、第１ブースタユニット（14）の電磁弁（SV6）、第２ブースタユニット（15）の電磁弁（SV11）が閉の状態に設定される。以下で、冷凍装置（10）の単段圧縮動作について説明する。なお、室外ユニット（11）での冷媒の流れは上述の二段圧縮動作の場合と同じなので、詳しい説明は省略する。
【００９７】
室外ユニット（11）において、第１可変容量圧縮機（41）から吐出された冷媒は、高段側吐出管（65）、四路切換弁（49）、室外熱交換器（44）、第１液管（71）、レシーバ（45）、第２液管（72）及び過冷却熱交換器（46）、及び第３液管（73）を通過して、液連絡配管（36）へ流入する。そして、上記液連絡配管（36）へ流入した冷媒は、第１冷凍回路（80）及び第２冷凍回路（90）に分配される。なお、単段圧縮動作の場合、高段側については、上述の二段圧縮動作時と同様、連絡配管（66）を介して圧縮機（41）の吸入管（64）に冷媒が供給されるが、低段側については膨張弁（120,160）を閉状態にしてインジェクション主管（119,159）に冷媒が流れないようになっている。
【００９８】
上記第１及び第２冷凍回路（80,90）では、上述の二段圧縮動作の場合と同様、液冷媒がドレンパン加熱用配管（81,91）を流れ、ドレンパンの着霜を防止すると共に、冷却熱交換器（83,93）からドレンパンに落下した霜を確実に融解する。上記ドレンパン加熱用配管（81,91）から流出した液冷媒は、室内膨張弁（82,92）を通過する際に減圧されて膨張し、冷却熱交換器（83,93）へ導入される。該冷却熱交換器（83,93）では、冷媒が冷却室内の空気から吸熱して蒸発する。これにより、冷凍ショーケース（12,13）においては、冷却熱交換器（83,93）で冷却された空気が冷却室内へ供給される。
【００９９】
そして、上記冷却熱交換器（83,93）で蒸発したガス冷媒は、合流した後、ブースタ連結管（38,39）を介して第１及び第２ブースタユニット（14,15）へそれぞれ流れる。該第１及び第２ブースタユニット（14,15）では、圧縮機（101,102,103,141,142,143）が動作していないため、冷媒は該圧縮機（101,102,103,141,142,143）に吸い込まれることなく、バイパス管（127,167）を通って吐出連絡管（130,170）及びガス連絡配管（37）を流れ、室外ユニット（11）へ戻る。
【０１００】
このとき、上記バイパス管（127,167）は、低段側油分離器（128,168）をバイパスするように設けられているため、基本的には該低段側油分離器（128,168）内を通過することなく冷媒は室外ユニット（11）へ戻ることになる。しかしながら、本実施形態では、低段側油分離器（128,168）とバイパス管（127,167）とが連通しており、該油分離器（128,168）内に冷媒が流入しうる構成になっている。そのため、低段側油分離器（128,168）周辺の温度が低下すると、該油分離器（128,168）内のガス冷媒が凝縮して、該油分離器（128,168）内にガス冷媒がさらに流入することになる。したががって、上記低段側油分離器（128,168）内に液冷媒が溜まりやすい構造になっている。
【０１０１】
＜単段圧縮動作時の冷媒回収動作＞
これに対し、本発明の特徴部分として、上述のように低段側油分離器（128,168）内に溜まった液冷媒を排出するために、低段側の圧縮機（101,102,103,141,142,143）のうち、可変容量圧縮機（101,141）をコントローラ（200）によって起動させて、上記低段側油分離器（128,168）内に高温のガス冷媒を送り込むことで、該低段側油分離器（128,168）内の液冷媒を蒸発させて高段側へ戻すような構成にした。このコントローラ（200）が本発明の液冷媒回収手段を構成する。
【０１０２】
すなわち、上記低段側油分離器（128,168）内に所定量以上の液冷媒が溜まった場合に、コントローラ（200）は、低段側の可変容量圧縮機（101,141）を所定時間以上、起動させることで、低段側油分離器（128,168）に高温のガス冷媒を送りこみ、その熱によって該油分離器（128,168）内の液冷媒を蒸発させる。これにより、上記低段側油分離器（128,168）内の液冷媒は、上記低段側の可変容量圧縮機（101,141）から吐出されたガス冷媒とともに高段側へ戻される。
【０１０３】
ここで、上記所定量は、油分離器（128,168）の回収容器（55）の容量や、循環する冷媒の流量等に応じて決められる量で、油分離器（128,168）内の液冷媒の回収動作を行う必要がある量を意味する。また、上記所定時間は、上記所定量の液冷媒を油分離器（128,168）から排出するのに要する時間であり、例えば実験等によって求められる。なお、上記低段側油分離器（128,168）内に溜まった液冷媒の量は、回収容器（55）内に設けられたセンサ等によって検出するようにしてもよいし、冷媒の流量や外気温等から推定するようにしてもよい。
【０１０４】
<デフロスト運転>
この冷凍装置（10）のデフロスト運転では、第１冷却熱交換器（83）及び第２冷却熱交換器（93）の除霜が同時に行われる。
【０１０５】
図５に示すように、デフロスト運転時の室外回路（40）では、四路切換弁（49）が第２状態に設定される。また、第１室外膨張弁（47）が全閉状態となる一方、第２室外膨張弁（48）の開度が適宜調節される。第１冷凍回路（80）では、第１室内膨張弁（82）が全開状態となる。第２冷凍回路（90）では、第２室内膨張弁（92）が全開状態となる。第１ブースタ回路（100）では、電磁弁（SV2）が閉の状態に設定され、電磁弁（SV6）が開の状態に設定される。第２ブースタ回路（140）では、電磁弁（SV7）が閉の状態に設定され、電磁弁（SV11）が開の状態に設定される。
【０１０６】
デフロスト運転では、室外回路（40）の圧縮機（41）が運転される一方、第１ブースタ回路（100）の各圧縮機（101,102,103）、及び第２ブースタ回路（140）の各圧縮機（141,142,143）が停止状態となる。その結果、冷媒回路（20）では、室外熱交換器（44）が蒸発器となり、各冷却熱交換器（83,93）が凝縮器となって、冷凍サイクルが行われる。
【０１０７】
第１可変容量圧縮機（41）から吐出された冷媒は、高段側吐出管（65）から四路切換弁（49）を通ってガス連絡配管（37）へ流入する。上記ガス連絡配管（37）へ流入した冷媒は、第１ブースタ回路（100）と第２ブースタ回路（140）とに分配される。これらのブースタ回路（100,140）は、上述のとおり、互いに並列に設けられているため、以下の説明では、第１ブースタ回路（100）内での冷媒の流れについてのみ説明する。
【０１０８】
上記第１ブースタ回路（100）へ流入した冷媒は、第１吐出連絡管（130）から第１低段側油分離器（128）内に流入する。該油分離器（128）の回収容器（55）内に流入したガス冷媒は、容器の上部から流入するため、ガス溜め部（57）から液溜め部（58）側に流れ、第１油戻し管（129）へ流出する。この際、液溜め部（58）に溜まった油や液冷媒は、ガス冷媒とともに第１油戻し管（129）へ流出する。この第１油戻し管（129）に流出した冷媒は、第１バイパス管（126）を経由して第１低段側吸入管（110）を通過し、第２ブースタ回路（140）の第２低段側吸入管（150）を流れてきた冷媒と合流した後、第１冷凍回路（80）及び第２冷凍回路（90）へ流入する。つまり、第１ブースタ回路（100）に流入した冷媒は、停止状態の低段側の圧縮機（101,102,103）をバイパスして第１ブースタ回路（100）から第１冷凍回路（80）及び第２冷凍回路（90）へ流出する。
【０１０９】
上述のように、デフロスト運転時には、ガス冷媒が低圧側油分離器（128）内をガス溜め部（57）側から液溜め部（58）側へ流れるように構成することで、該低圧側油分離器（128）内に溜まった油や液冷媒などをすべて排出できるため、該油分離器（128）が液溜まりになるのを確実に防止することができる。
【０１１０】
上記第１及び第２冷凍回路（80,90）へ流入した冷媒は、冷却熱交換器（83,93）を流れる。この冷却熱交換器（83,93）では、その表面の霜が内側から加熱されて融解する一方、冷媒はこの霜に融解熱を奪われて凝縮する。上記冷却熱交換器（83,93）で凝縮した冷媒は、全開状態の室内膨張弁（82,92）を通過した後、ドレンパン加熱用配管（81,91）を流れる。その結果、この冷媒によってドレンパン近傍が加熱され、該ドレンパン内の霜や氷塊が融解する。逆に、上記ドレンパン加熱用配管（81,91）を流れる冷媒は、ドレンパン内の霜や氷塊に融解熱を奪われる。その後、第１及び第２冷凍回路（80,90）を通過した冷媒は再び合流して液連絡配管（36）へ流入する。
【０１１１】
上記液連絡配管（36）内を流れた冷媒は、第５液管（75）を経由し、レシーバ（45）、過冷却熱交換器（46）の高圧側流路（46a）を通過する。そして、冷媒は、第３液管（73）を経由して連絡配管（66）、第４配管（74）及び第６配管（76）を流れた後、該第６配管（76）に設けられた第２室外膨張弁（48）を通過することで減圧され、室外熱交換器（44）を流れる。この室外熱交換器（44）では、冷媒が室外空気から吸熱して蒸発する。該室外熱交換器（44）で蒸発した冷媒は、四路切換弁（49）を通過して高段側吸入管（64）へ流入し、圧縮機（41）に吸入される。
【０１１２】
<デフロスト運転終了後の冷媒回収動作>
ところで、上述のデフロスト運転を行うと、各冷凍ショーケース（12,13）では、各冷却熱交換器（83,93）で凝縮した液冷媒が、該各冷却熱交換器（83,93）の内部に溜まり込んでしまうことがある。このような状態で上述の冷却運転を再開すると、各冷却熱交換器（83,93）内に溜まった液冷媒が、各ブースタ回路（100,140）の各低段側圧縮機（101,102,103,141,142,143）に吸入されることになる。その結果、いわゆる液圧縮現象により、各低段側圧縮機（101,102,103,141,142,143）が故障してしまう虞がある。
【０１１３】
そこで、本実施形態に係る冷凍装置（10）では、デフロスト運転を終了させた後、上記冷却運転を再開する際に、このような低段側圧縮機（101,102,103,141,142,143）の液圧縮現象を回避すべく、次のような冷媒回収動作を行うようにしている。
【０１１４】
図６に示すように、冷媒回収動作では、上述の冷却運転と同様、四路切換弁（49）が第１状態に設定される。また、第２室外膨張弁（48）が全閉状態となる一方、第１室外膨張弁（47）の開度が適宜調節される。第１冷凍回路（80）では、第１室内膨張弁（82）の開度が適宜調節される。第２冷凍回路（90）では、第２室内膨張弁（92）の開度が適宜調節される。第１ブースタ回路（100）では、電磁弁（SV2）が閉の状態に設定される一方、電磁弁（SV6）が開の状態となる。第２ブースタ回路（140）では、電磁弁（SV7）が閉の状態に設定される一方、電磁弁（SV11）が開の状態となる。
【０１１５】
また、冷媒回収動作では、室外回路（40）側の高段側圧縮機（41）が運転される一方、各ブースタ回路（100,140）側の各低段側圧縮機（101,102,103,141,142,143）が停止状態となる。
【０１１６】
この冷媒回収動作の室外回路（40）では、高段側圧縮機（41）で圧縮された冷媒が上述の冷却運転と同様の経路を流れる。つまり、室外回路（40）では、高圧冷媒が室外熱交換器（44）で凝縮して液連絡配管（36）に流入した後、各冷凍回路（80,90）に分流する。
【０１１７】
第１及び第２冷凍回路（80,90）に流入した冷媒は、それぞれ、室内膨張弁（82,92）で減圧された後、冷却熱交換器（83,93）を流れる。この冷却熱交換器（83,93）では、冷媒が庫内空気から吸熱して蒸発する。同時に、冷却熱交換器（83,93）内に溜まっていた液冷媒は、ガス冷媒に圧送されて冷却熱交換器（83,93）から排出される。
【０１１８】
その後、冷媒は第１及び第２ブースタ回路（100,140）に流入する。これらのブースタ回路（100,140）は、上述とおり、互いに並列に設けられているため、以下の説明では、第１ブースタ回路（100）についてのみ説明する。
【０１１９】
上記第１ブースタ回路（100）に流入した冷媒は、第１バイパス管（126）を介して第１低段側油分離器（128）内に流入する。この際、冷媒は、上記低段側油分離器（128）に対して第１油戻し管（129）の開口部、すなわ該油分離器（128）の下側から流れ込むため、その回収容器（55）内において、液冷媒は下側の液溜め部（58）に溜まり、ガス冷媒は上側のガス溜め部（57）に溜まって、これにより、冷媒が液冷媒とガス冷媒とに分離される。そして、分離後のガス冷媒は、ガス溜め部（57）から第１吐出連絡管（130）より油回収容器（55）の外部へ流出する。
【０１２０】
ここで、上記低段側油分離器（128）内に上記所定量以上の液冷媒が溜まった場合には、上述の単段圧縮動作の場合と同様、低段側の圧縮機（101）を所定時間以上、起動して、高温のガス冷媒を上記油分離器（128）内に送り込むことで、該油分離器（128）内の液冷媒をガス化させて、高段側に戻す。
【０１２１】
各ブースタ回路（100,140）から流出した冷媒は、ガス連絡配管（37）を流通する。ここで、ガス連絡配管（37）を流れる冷媒中に液冷媒が残存している場合、この液冷媒はガス連絡配管（37）の周囲の空気から吸熱して蒸発する。ガス連絡配管（37）を流出したガス冷媒は、室外回路（40）に流入し、高段側圧縮機（41）に吸入される。
【０１２２】
このように、デフロスト運転後の冷媒回収動作において、上記低段側油分離器（128）内に液冷媒が一旦、溜められるように構成されているため、多量の液冷媒が高段側の圧縮機（41）に一気に流れ込むのを確実に防止することができる。
【０１２３】
−実施形態１の効果−
上記実施形態１によれば、冷却運転における単段圧縮動作時に低段側の圧縮機（101,102,103,141,142,143）及び低段側油分離器（128,168）をバイパスするように構成された冷媒回路（20）を備えた冷凍装置（10）において、該低段側油分離器（128,168）内に所定量の液冷媒が溜まった場合に、コントローラ（200）によって低段側の圧縮機（101,141）を所定時間、起動させて高温のガス冷媒を該油分離器（128,168）内に送り込むようにしたことで、該油分離器（128,168）内に溜まった液冷媒を高段側へ排出することができ、液冷媒の溜まり込みを防止できる。これにより、上記冷媒回路（20）内に冷媒を効率良く流すことができ、全体の冷媒量を節約できる。
【０１２４】
ところで、上述のような液冷媒の排出手段を設けていない場合、油分離器（128,168）とバイパス管との間に該油分離器（128,168）内に冷媒が入り込まないように逆止弁等を設ける必要があるが、ブースタユニット（14,15）を複数、設けると、油分離器（128,168）の近傍に逆止弁が並ぶことになり、その動作音等に起因する騒音が大きくなるという問題が生じる。これに対し、本実施形態のような構成にすることで、油分離器（128,168）周辺の逆止弁を省略することができ、コストの低減を図れるとともに、上述のような騒音の発生も防止することができる。
【０１２５】
また、冷却運転における単段圧縮動作時以外は、冷媒が上記油分離器（128,168）を必ず通過するように構成することで、該油分離器（128,168）が液溜まりとなって内部に冷媒が溜まるのを確実に防止することができる。
【０１２６】
さらに、単段圧縮動作時に冷媒が低段側油分離器（128,168）をバイパスして流れるようにバイパス管（127,167）を設けることで、該油分離器（128,168）内に冷媒が直接流入することはなく、該油分離器（128,168）内への冷媒の流入を極力抑えることができる。
【０１２７】
《実施形態２》
実施形態２の冷凍装置（210）は、上記実施形態１と冷媒回路の構成、及び低段側油分離器周辺の冷媒、冷凍機油の流れが異なるものである。以下では、上記実施形態１と同じ構成のものは同じ符号を付して説明を省略し、該実施形態１と異なる点についてのみ説明する。
【０１２８】
図７に示すように、実施形態２の冷凍装置（210）は、過冷却ユニット（230）を備えている。この過冷却ユニット（230）は、冷媒通路（231）と、過冷却用冷媒回路（240）と、過冷却用熱交換器（250）とを備えている。上記冷媒通路（231）は、その一端側が、室外回路（40）の第１閉鎖弁（21）に接続されている第１液連絡配管（36a）に接続される一方、他端側は、液冷媒を第１及び第２冷凍回路（80,90）に分配するための第２液連絡配管（36b）に接続されている。すなわち、上記過冷却ユニット（250）は、室外回路（40）と第１及び第２冷凍回路（80,90）との間に設けられている。
【０１２９】
上記過冷却用冷媒回路（240）は、過冷却用圧縮機（241）と、過冷却用室外熱交換器（242）と、膨張機構である過冷却用膨張弁（243）と、上記過冷却用熱交換器（250）とを順に配管で接続して構成された閉回路である。すなわち、この過冷却用冷媒回路（240）では、上記冷凍装置（210）の冷媒回路（220）に流れる冷媒とは別の過冷却用冷媒を循環させている。
【０１３０】
上記過冷却用圧縮機（241）は、全密閉型で高圧ドーム型のスクロール圧縮機であり、インバータを介して電力が供給されるように構成されている。すなわち、この過冷却用圧縮機（241）は、インバータの出力周波数を変化させて圧縮機モータの回転速度を変更することで容量を変更できるようになっている。
【０１３１】
上記過冷却用室外熱交換器（242）は、クロスフィン式のフィン・アンド・チューブ型熱交換器である。過冷却用室外熱交換器（242）の近傍には、室外ファン（244）が設けられていて、該室外ファン（244）が送風する室外空気と冷媒との間で熱交換が行われる。上記過冷却用膨張弁（243）は、開度が調節可能な電子膨張弁で構成されている。
【０１３２】
上記過冷却用熱交換器（250）は、いわゆるプレート式熱交換器によって構成されている。この過冷却用熱交換器（250）には、第１流路（250a）及び第２流路（250b）が形成されている。そして、第１流路（250a）には上記過冷却用冷媒回路（240）が、第２流路（250b）には冷媒通路（231）がそれぞれ接続されている。これにより、上記過冷却用熱交換器（250）では、第１流路（250a）を流れる過冷却用冷媒と、第２流路（250b）を流れる冷凍装置（210）の冷媒との間で熱交換が行われる。
【０１３３】
また、上記過冷却ユニット（210）には、各種センサや圧力スイッチも設けられている。具体的には、上記過冷却用圧縮機（241）の吐出側の配管には、第８高圧圧力スイッチ（30h）、第８吐出温度センサ（31h）が設けられている。上記過冷却用熱交換器（250）の第２流路（250b）の出入り口付近には入口側冷媒温度センサ（245）及び出口側冷媒温度センサ（246）が設けられている。上記過冷却用室外熱交換器（242）の室外ファン（244）の近傍には、外気温度センサ（247）が設けられている。
【０１３４】
さらに、この実施形態２では、第１及び第２ブースタユニット（14,15）における低段側油分離器（128,168）まわりの配管構成が上記実施形態１とは異なっている。
【０１３５】
具体的には、上記実施形態１において低段側油分離器（128,168）をバイパスするように設けられたバイパス管（127,167）の代わりに、この実施形態では、低段側吸入管（110,150）と上記低段側油分離器（128,168）の油戻し管（129,169）に接続されたバイパス管（126,166）とを接続し、該バイパス管（126,166）に設けられた電磁弁（SV6）をバイパスするバイパス管（301,302）が設けられている。
【０１３６】
上記バイパス管（301,302）には、それぞれ、上記低段側吸入管（110,150）からバイパス管（126,166）へ向かう冷媒の流通だけを許容する逆止弁（CV16,CV17）が設けられている。
【０１３７】
また、上記低段側油分離器（128,168）には、液冷媒の回収通路としての回収管（302,342）が接続されている。この回収管（302,342）は、図８に示すように、上記油分離器（128,168）の回収容器（55）に対して液溜め部（58）に開口するように接続されていて、該液溜め部（58）に溜まった液冷媒や冷凍機油を排油管（125,165）を介して高段側へ戻すように構成されている。
【０１３８】
上記回収管（302,342）には、それぞれ、開閉弁としての電磁弁（SV12,SV13）が設けられている。上記低段側油分離器（128,168）の回収容器（55,55）内に所定量の液冷媒等が溜まった場合に、コントローラ（200）によって上記電磁弁（SV12,SV13）を作動させることで、上記回収管（302,342）及び排油管（125,165）を介して液冷媒等の回収を行えるようになっている。
【０１３９】
ここで、上記回収管（302,342）及び電磁弁（SV12,SV13）によって本発明の液冷媒回収手段（300,340）が構成される。
【０１４０】
−運転動作−
この実施形態２に係る冷凍装置（210）では、上述のように、過冷却ユニット（230）が設けられている点、低段側油分離器（128,168）をバイパスする配管がなく、該油分離器（128,168）を必ず冷媒が通過するように構成されている点が、上述の実施形態１と異なる。したがって、これらの点を中心に以下で上記冷凍装置（210）の運転動作について説明する。
【０１４１】
＜冷却運転＞
（二段圧縮動作）
図９に示すように、冷却運転中は、室外回路（40）の四路切換弁（49）は第１状態に設定される。また、第１ブースタ回路（100）及び第２ブースタ回路（140）で電磁弁（SV12,SV13）が閉の状態に設定される以外、冷媒回路（220）における膨張弁や電磁弁の設定は、上述の実施形態１の場合と同様である。
【０１４２】
二段圧縮動作時には、室外回路（40）の圧縮機（41）、第１ブースタ回路（100）の各圧縮機（101,102,103）、第２ブースタ回路（140）の各圧縮機（141,142,143）、及び過冷却用冷媒回路（240）の過冷却用圧縮機（241）がそれぞれ運転される。
【０１４３】
上記室外回路（40）において第１可変容量圧縮機（41）から吐出された冷媒は、上記実施形態１と同様、四路切換弁（49）、室外熱交換器（44）、レシーバ（45）、過冷却熱交換器（46）の高圧側流路（46a）を通過した後、第３液管（73）を介して第１液連絡配管（36a）へ流入する。
【０１４４】
上記第１液側連絡配管（36a）へ流入した冷媒は、過冷却ユニット（230）の冷媒通路（231）へ流入する。この冷媒通路（231）へ流入した冷媒は、過冷却用熱交換器（250）の第２流路（250b）を通過する間にさらに冷却される。過冷却用熱交換器（250）で冷却された過冷却状態の液冷媒（過冷却用冷媒）は、第２液側連絡配管（36b）を通って第１冷凍回路（80）及び第２冷凍回路（90）とに分配される。
【０１４５】
なお、この実施形態でも、上記実施形態１と同様、冷媒は上記第３液管（73）及び第２液側連絡配管（36b）に接続された連絡配管（66）及びインジェクション主管（119,159）に流れて、キャピラリーチューブ（52,123a,123b,123c,163a,163b,163c）を通過した後、圧縮機（41,101,102,103,141,142,143）の吸入管（64,111,112,113,151,152,153）に供給される。
【０１４６】
そして、上記実施形態１と同様、上記第１及び第２冷凍回路（80,90）内を流れて、冷却熱交換器（83,93）で蒸発したガス冷媒は、合流後、ブースタ連結管（38,39）を介して第１及び第２ブースタユニット（14,15）へそれぞれ流れる。これらのブースタユニット（14,15）は、上述のとおり、並列に設けられているため、以下の説明では、第１ブースタユニット（14）内での冷媒の流れについてのみ説明する。
【０１４７】
上記第１ブースタ連結管（38）を流れるガス冷媒は、第１低段側吸入管（110）、第１〜第３吸入管（111,112,113）を介して低段側の圧縮機（101,102,103）へ流入する。この際、第１及び第２均油管（118a,118b）の閉鎖弁（SV3,SV4）はコントローラ（200）によって適宜、開閉制御されるとともに、上記吸入管（111,112,113）に対してはインジェクション分岐管（119a,119b,119c）を介して液冷媒が供給される。
【０１４８】
上記低段側の各圧縮機（101,102,103）で圧縮されて吐出された冷媒は、第１〜第３吐出管（114,115,116）を介して第１低段側吐出管（117）に流れ込み、第１低段側油分離器（128）内でガス冷媒と冷凍機油とに分離される。そして、ガス冷媒は、第１吐出連絡管（130）内を流れて、第２ブースタユニット（15）から吐出されるガス冷媒と合流し、ガス連絡配管（37）によって、室外ユニット（11）内へ戻る。その後は、四路切換弁（49）、高段側吸入管（64）を介して第１可変容量圧縮機（41）内へ吸い込まれる。
【０１４９】
ここで、上記第１低段側油分離器（128）内で分離された冷凍機油は、液溜め部（58）に溜められた後、所定のタイミングで第１油戻し管（129）上の電磁弁（SV5）が開状態になることで、該第１油戻し管（129）内を流れて第１低段側吸入管（110）に戻される。これにより、該第１低段側吸入管（110）内の冷媒と冷凍機油とが混合した状態で流れ、該冷凍機油は低段側の各圧縮機（101,102,103）内に戻される。なお、各圧縮機（101,102,103）内の冷凍機油量の調整は、均油手段としての均油管（118a,118b）や、第１排油管（125）、該第１排油管（125）に設けられた電磁弁（SV2）によって行われる。
【０１５０】
（単段圧縮動作）
図１０に示す単段圧縮動作では、上述の実施形態１と同様、高段側の圧縮機（41）が運転状態である一方、低段側の圧縮機（101,102,103）は停止状態となる。以下で、冷凍装置（210）の単段圧縮動作について説明する。
【０１５１】
上記室外回路（40）において第１可変容量圧縮機（41）から吐出された冷媒は、上記実施形態１と同様、四路切換弁（49）、室外熱交換器（44）、レシーバ（45）、過冷却熱交換器（46）の高圧側流路（46a）を通過した後、第３液管（73）を介して第１液連絡配管（36a）へ流入する。
【０１５２】
上記第１液側連絡配管（36a）へ流入した冷媒は、過冷却ユニット（230）の冷媒通路（231）へ流入する。この冷媒通路（231）へ流入した冷媒は、過冷却用熱交換器（250）の第２流路（250b）を通過する間にさらに冷却される。過冷却用熱交換器（250）で冷却された過冷却状態の液冷媒（過冷却用冷媒）は、第２液側連絡配管（36b）を通って第１冷凍回路（80）及び第２冷凍回路（90）に分配される。
【０１５３】
そして、上記実施形態１と同様、上記第１及び第２冷凍回路（80,90）内を流れて、冷却熱交換器（83,93）で蒸発したガス冷媒は、合流後、ブースタ連結管（38,39）を介して第１及び第２ブースタユニット（14,15）へそれぞれ流れる。
【０１５４】
上記第１及び第２ブースタユニット（14,15）では、圧縮機（101,102,103,141,142,143）が動作していないため、冷媒は該圧縮機（101,102,103,141,142,143）に吸い込まれることなく、バイパス管（301,341）を通って、別のバイパス管（126,166）、低段側油分離器（128,168）、吐出連絡管（130,170）及びガス連絡配管（37）を流れ、室外ユニット（11）へ戻る。
【０１５５】
このとき、上記バイパス管（301,341）は、上述の実施形態１のように低段側油分離器（128,168）をバイパスしないため、ガス冷媒は該油分離器（128,168）内を通過することになる。すなわち、図８に示すように、ガス冷媒は上記低段側油分離器（128,168）の回収容器（55,55）に対して下側から流入し、デミスタ（56,56）を通過したガス冷媒は吐出連絡管（130,170）から室外ユニット（11）側へ移動する一方、液冷媒は回収容器（55）のガス溜め部（57）に溜められる。特に、上記低段側油分離器（128,168）周辺の温度が低い場合には、該低段側油分離器（128,168）内に流入したガス冷媒が液化しやすい。
【０１５６】
そして、上記低段側油分離器（128,168）の回収容器（55,55,）内に溜められた液冷媒が所定量に達すると、電磁弁（SV12,SV13）が開状態になり、回収管（302,342）及び排油管（125,165）を介して室内ユニット（11）側へ戻される。ここで、所定量とは、上記実施形態１と同様、油分離器（128,168）内の液冷媒の回収動作を行う必要がある量を意味する。上記電磁弁（SV12,SV13）及び回収管（302,342）は、本発明の液冷媒回収手段を構成する。
【０１５７】
<デフロスト運転>
図１１に示すように、デフロスト運転時の室外回路（40）では、四路切換弁（49）が第２状態に設定される。また、第１ブースタ回路（100）及び第２ブースタ回路（140）で電磁弁（SV12,SV13）が閉の状態に設定される以外、冷媒回路（220）における膨張弁や電磁弁の設定は、上述の実施形態１の場合と同様である。
【０１５８】
デフロスト運転では、室外回路（40）の圧縮機（41）が運転される一方、第１ブースタ回路（100）の各圧縮機（101,102,103）、第２ブースタ回路（140）の各圧縮機（141,142,143）及び過冷却ユニット（230）の過冷却用圧縮機（241）が停止状態となる。
【０１５９】
第１可変容量圧縮機（41）から吐出された冷媒は、高段側吐出管（65）から四路切換弁（49）を通ってガス連絡配管（37）へ流入する。上記ガス連絡配管（37）へ流入した冷媒は、第１ブースタ回路（100）と第２ブースタ回路（140）とに分配される。これらのブースタ回路（100,140）は、上述のとおり、互いに並列に設けられているため、以下の説明では、第１ブースタ回路（100）内での冷媒の流れについてのみ説明する。
【０１６０】
上記第１ブースタ回路（100）へ流入した冷媒は、第１吐出連絡管（130）から第１低段側油分離器（128）内に流入する。該油分離器（128）の回収容器（55）内に流入したガス冷媒は、容器の上部から流入するため、ガス溜め部（57）から液溜め部（58）側に流れ、第１油戻し管（129）へ流出する。この際、液溜め部（58）に溜まった油や液冷媒は、ガス冷媒とともに第１油戻し管（129）へ流出する。この第１油戻し管（129）に流出した冷媒は、第１バイパス管（126）を経由して第１低段側吸入管（110）を通過し、第２ブースタ回路（140）の第２低段側吸入管（150）を流れてきた冷媒と合流した後、第１冷凍回路（80）及び第２冷凍回路（90）へ流入する。つまり、第１ブースタ回路（100）に流入した冷媒は、停止状態の低段側の圧縮機（101,102,103）をバイパスして第１ブースタ回路（100）から第１冷凍回路（80）及び第２冷凍回路（90）へ流出する。
【０１６１】
上述のように、デフロスト運転時には、ガス冷媒が低圧側油分離器（128）内をガス溜め部（57）側から液溜め部（58）側へ流れるように構成することで、該低圧側油分離器（128）内に溜まった油や液冷媒などをすべて排出できるため、該油分離器（128）が液溜まりになるのを確実に防止することができる。
【０１６２】
上記第１及び第２冷凍回路（80,90）へ流入した冷媒は、冷却熱交換器（83,93）を流れる。この冷却熱交換器（83,93）では、その表面の霜が内側から加熱されて融解する一方、冷媒はこの霜に融解熱を奪われて凝縮する。上記冷却熱交換器（83,93）で凝縮した冷媒は、全開状態の室内膨張弁（82,92）を通過した後、ドレンパン加熱用配管（81,91）を流れる。その結果、この冷媒によってドレンパン近傍が加熱され、該ドレンパン内の霜や氷塊が融解する。逆に、上記ドレンパン加熱用配管（81,91）を流れる冷媒は、ドレンパン内の霜や氷塊に融解熱を奪われる。その後、第１及び第２冷凍回路（80,90）を通過した冷媒は再び合流して第２液連絡配管（36b）へ流入する。
【０１６３】
上記第２液連絡配管（36b）を流れた冷媒は、過冷却ユニット（230）の冷媒通路（231）及び過冷却用熱交換器（250）の第２流路（250b）を流れた後、第１液連絡配管（36a）及び第５液管（75）を経由し、レシーバ（45）、過冷却熱交換器（46）の高圧側流路（46a）を通過する。そして、冷媒は、第３液管（73）を経由して連絡配管（66）、第４配管（74）及び第６配管（76）を流れた後、該第６配管（76）に設けられた第２室外膨張弁（48）を通過することで減圧され、室外熱交換器（44）を流れる。この室外熱交換器（44）では、冷媒が室外空気から吸熱して蒸発する。該室外熱交換器（44）で蒸発した冷媒は、四路切換弁（49）を通過して高段側吸入管（64）へ流入し、圧縮機（41）に吸入される。
【０１６４】
<デフロスト運転終了後の冷媒回収動作>
図１２に示すように、デフロスト運転終了後の冷媒回収動作では、上述の冷却運転と同様、四路切換弁（49）が第１状態に設定される。また、第１ブースタ回路（100）及び第２ブースタ回路（140）で電磁弁（SV12,SV13）が閉の状態に設定される以外、冷媒回路（220）における膨張弁や電磁弁の設定は、上述の実施形態１の場合と同様である。
【０１６５】
上記冷媒回収動作でも、上述の実施形態１と同様、室外回路（40）側の高段側圧縮機（41）が運転される一方、各ブースタ回路（100,140）側の各低段側圧縮機（101,102,103,141,142,143）、過冷却ユニット（230）の過冷却用圧縮機（241）が停止状態となる。
【０１６６】
そして、上記冷媒回収動作では、高段側圧縮機（41）で圧縮された冷媒が上述の冷却運転における単段圧縮動作の場合と同様の経路を流れる。つまり、室外回路（40）では、高圧冷媒が室外熱交換器（44）で凝縮して液連絡配管（36）に流入した後、各冷凍回路（80,90）に分流する。
【０１６７】
第１及び第２冷凍回路（80,90）に流入した冷媒は、それぞれ、室内膨張弁（82,92）で減圧された後、冷却熱交換器（83,93）を流れる。この冷却熱交換器（83,93）では、冷媒が庫内空気から吸熱して蒸発する。同時に、冷却熱交換器（83,93）内に溜まっていた液冷媒は、ガス冷媒に圧送されて冷却熱交換器（83,93）から排出される。
【０１６８】
その後、冷媒は第１及び第２ブースタ回路（100,140）に流入する。これらのブースタ回路（100,140）は、上述とおり、互いに並列に設けられているため、以下の説明では、第１ブースタ回路（100）についてのみ説明する。
【０１６９】
上記第１ブースタ回路（100）に流入した冷媒は、第１バイパス管（126）を介して第１低段側油分離器（128）内に流入する。この際、冷媒は、上記低段側油分離器（128）に対して第１油戻し管（129）の開口部、すなわ該油分離器（128）の下側から流れ込むため、その回収容器（55）内において、液冷媒は下側の液溜め部（58）に溜まり、ガス冷媒は上側のガス溜め部（57）に溜まって、これにより、冷媒が液冷媒とガス冷媒とに分離される。そして、分離後のガス冷媒は、ガス溜め部（57）から第１吐出連絡管（130）より油回収容器（55）の外部へ流出する。
【０１７０】
ここで、上記低段側油分離器（128）の回収容器（55）内に溜まった液冷媒が上記所定量以上になると、上述の単段圧縮動作の場合と同様、電磁弁（SV12）が開状態になり、上記油分離器（18）内の液冷媒はバイパス管（302）及び排油管（125）を介して高段側に戻される。
【０１７１】
各ブースタ回路（100,140）を流出した冷媒は、ガス連絡配管（37）を流通する。ここで、ガス連絡配管（37）を流れる冷媒中に液冷媒が残存している場合、この液冷媒はガス連絡配管（37）の周囲の空気から吸熱して蒸発する。ガス連絡配管（37）を流出したガス冷媒は、室外回路（40）に流入し、高段側圧縮機（41）に吸入される。
【０１７２】
このように、デフロスト運転後の冷媒回収動作において、上記低段側油分離器（128）内に液冷媒が一旦、溜められるように構成されているため、多量の液冷媒が高段側の圧縮機（41）に一気に流れ込むのを確実に防止することができる。
【０１７３】
−実施形態２の効果−
上記実施形態２によれば、冷却運転における単段圧縮動作時に冷媒が低段側の油分離器（128,168）をバイパスすることなく該油分離器（128,168）内部に流れ込んで、該油分離器（128,168）内に液冷媒が溜まるようように構成された冷媒回路（220）を備えた冷凍装置（210）において、該低段側油分離器（128,168）に、排油管（125,165）に接続されたバイパス管（301,341）を接続し、該バイパス管（301,341）に電磁弁（SV12,SV13）を設けたため、該電磁弁（SV12,SV13）を開状態にすることで、上記低段側油分離器（128,168）内に溜まった液冷媒を上記バイパス管（301,341）及び排油管（125,165）を介して高段側に戻すことができる。
【０１７４】
したがって、上記低段側油分離器（128,168）内に液冷媒が溜まり込むのを防止することができ、これにより、上記冷媒回路（220）内で液冷媒を効率良く流すことができる。
【０１７５】
また、上述のように、上記低段側油分離器（128,168）内に溜まった液冷媒を回収するための手段を設けたことで、単段圧縮動作時に上記低段側油分離器（128,168）内に液冷媒が溜まらないように逆止弁等を設ける必要がなくなるため、その分、コストの低減を図れるとともに、該逆止弁の動作等に起因する異音の発生を防止することができる。特に、本実施形態のように、複数のブースタユニット（14,15）を有していて、それぞれに油分離器（128,168）が設けられている場合には、複数の逆止弁を省略できるため、その分、逆止弁で発生する騒音をなくすことができ、より効果的である。
【０１７６】
さらに、冷却運転における単段圧縮動作時以外は、冷媒が上記油分離器（128,168）を必ず通過するように構成することで、該油分離器（128,168）が液溜まりとなって内部に冷媒が溜まるのを確実に防止することができる。
【０１７７】
《その他の実施形態》
上記各実施形態については、以下のような構成としてもよい。
【０１７８】
上記各実施形態では、高段側に可変容量圧縮機（41）の１台のみを備えた構成としているが、この限りではなく、可変容量圧縮機（41）に加えて１台若しくは複数台の固定容量圧縮機を設けるようにしてもよい。ここで、固定容量圧縮機とは、圧縮機モータが常に一定の回転速度で運転され、その容量が変更不能となっているものである。
【０１７９】
また、上記各実施形態では、液インジェクションを行うことで、室外回路（40）、各ブースタ回路（100,140）の各圧縮機（101,102,103,141,142,143）の吐出温度を低下させるようにしているが、この液インジェクションを行わない構成としてもよい。この場合においては、例えば第２可変容量圧縮機（101）や第３可変容量圧縮機（141）の運転周波数を低減させ、吐出冷媒温度を低下させるようにしてもよいし、各ブースタ回路（100,140）で、いずれか一つ若しくは二つの低段側圧縮機（101,102,103,141,142,143）を停止させるようにしてもよい。
【０１８０】
また、上記実施形態の冷凍装置（10）では、冷媒回路（20）に複数の冷却熱交換器（83,93）を設け、複数の冷凍ショーケース（12,13）の庫内を同時に冷却するようにしているが、冷媒回路（20）に一つの冷却熱交換器を設け、一つの冷凍ショーケースのみの庫内を冷却するようにしてもよい。
【０１８１】
さらに、上記実施形態１では、単段圧縮動作時に低段側油分離器（128,168）をバイパスするようなバイパス管（127,167）を設けているが、この限りではなく、例えば、実施形態２のように、単段圧縮動作時でも上記低段側油分離器（128,168）を冷媒が通過するように構成してもよい。また、同様に、上記実施形態２では、単段圧縮動作時に上記低段側油分離器（128,168）を冷媒が通過するように構成されているが、この限りではなく、上記実施形態１のように、単段圧縮動作時には低段側油分離器（128,168）をバイパスするようなバイパス管を設けるようにしてもよい。
【産業上の利用可能性】
【０１８２】
以上説明したように、本発明は、２段圧縮冷凍サイクルを行う冷凍装置に関し、特に、複数のブースタユニットを備えており、それぞれのユニットに油分離器が設けられているものに有用である。
【図面の簡単な説明】
【０１８３】
【図１】実施形態１に係る冷凍装置の概略構成を示す配管系統図である。
【図２】実施形態１に係る冷凍装置の油分離器の周辺を拡大した概略構成図である。
【図３】実施形態１に係る冷凍装置の冷却運転動作（二段圧縮動作）を示す配管系統図である。
【図４】実施形態１に係る冷凍装置の冷却運転動作（単段圧縮動作）を示す配管系統図である。
【図５】実施形態１に係る冷凍装置のデフロスト運転動作を示す配管系統図である。
【図６】実施形態１に係る冷凍装置のデフロスト運転終了後の冷媒回収動作を示す配管系統図である。
【図７】実施形態２に係る冷凍装置の図１相当図である。
【図８】実施形態２に係る冷凍装置の油分離器の図２相当図である。
【図９】実施形態２に係る冷凍装置の図３相当図である。
【図１０】実施形態２に係る冷凍装置の図４相当図である。
【図１１】実施形態２に係る冷凍装置の図５相当図である。
【図１２】実施形態２に係る冷凍装置の図６相当図である。
【符号の説明】
【０１８４】
10,210           冷凍装置
20,220           冷媒回路
41               高段側圧縮機
44               室外熱交換器（熱源側熱交換器）
83,93            冷却熱交換器（利用側熱交換器）
101,102,103,141,142,143  低段側圧縮機
127,167          バイパス管（バイパス通路）
128,168          低段側油分離器
200              コントローラ（液冷媒回収手段）
300,340          液冷媒回収手段
301,341          回収管（回収通路）
SV12,SV13        電磁弁（開閉弁）
【図１】
2008014560.tif 000003
【図２】
2008014560.tif 000004
【図３】
2008014560.tif 000005
【図４】
2008014560.tif 000006
【図５】
2008014560.tif 000007
【図６】
2008014560.tif 000008
【図７】
2008014560.tif 000009
【図８】
2008014560.tif 000010
【図９】
2008014560.tif 000011
【図１０】
2008014560.tif 000012
【図１１】
2008014560.tif 000013
【図１２】
2008014560.tif 000014